(57)【特許請求の範囲】
【請求項１】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
前記各等化区間の区間長が、光信号の送信側に近接した部分では長く、光信号の受信側に近づくに従って短くなるように、該区間長が単調減少するように配置されていることを特徴とする光通信伝送路。
【請求項２】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
前記各等化区間の区間長が、光信号の送信側に近接した部分では短く、光信号の受信側に近づくに従って長くなるように、該区間長が単調増加するように配置されていることを特徴とする光通信伝送路。
【請求項３】
光信号を伝送するために、光信号をそのまま増幅中継する複数の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
前記各等化区間の区間長が、光信号の送信側に近接した部分では長く、光信号の受信側に近づくに従って短くなるように、該区間長が単調減少するように配置されていることを特徴とする光通信伝送路。
【請求項４】
光信号を伝送するために、光信号をそのまま増幅中継する複数の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
前記各等化区間の区間長が、光信号の送信側に近接した部分では短く、光信号の受信側に近づくに従って長くなるように、該区間長が単調増加するように配置されていることを特徴とする光通信伝送路。
【請求項５】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
複数の該等化区間の区間長を１つの大区間として、該大区間の繰り返しで光通信伝送路全体が構成され、
該大区間の中の前記各等化区間の区間長が、単調減少するように配置されていることを特徴とする光通信伝送路。
【請求項６】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
複数の該等化区間の区間長を１つの大区間として、該大区間の繰り返しで光通信伝送路全体が構成され、
該大区間の中の前記各等化区間の区間長が、単調増加するように配置されていることを特徴とする光通信伝送路。
【請求項７】
光信号を伝送するために、光信号をそのまま増幅中継する複数の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
複数の該等化区間の区間長を１つの大区間として、該大区間の繰り返しで光通信伝送路全体が構成され、
該大区間の中の前記各等化区間の区間長が、単調減少するように配置されていることを特徴とする光通信伝送路。
【請求項８】
光信号を伝送するために、光信号をそのまま増幅中継する複数の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
該大区間の中の前記各等化区間の区間長が、単調増加するように配置されていることを特徴とする光通信伝送路。
【請求項９】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
複数の該等化区間の区間長を１つの大区間として、該大区間の繰り返しで光通信伝送路全体が構成され、
前記各等化区間の区間長が、単調減少する第１の大区間と単調増加する第２の大区間とランダムに変化する第３の大区間のうち、少なくとも、２種類の大区間により前記光通信伝送路全体が構成されていることを特徴とする光通信伝送路。
【請求項１０】
光信号を伝送するために、光信号をそのまま増幅中継する複数の光増幅中継器と光ファイバとによって構成される光通信伝送路であって、
該光ファイバの大部分が前記光信号の使用波長帯域においては正常分散を有する正常分散ファイバであり、累積した当該正常分散を比較的短尺の異常分散ファイバを用いて等化する分散制御方式が用いられ、
前記正常分散ファイバの区間と前記異常分散ファイバの区間で構成される各等化区間の長さが不均一であるように設定されて、
複数の該等化区間を一つの大等化区間とし、該一つの大等化区間を等長二分割した一方の(1/2) 大等化区間では前記等化区間の長さが順次単調減少し、該一つの大等化区間を等長二分割した他方の(1/2) 大等化区間では前記等化区間の長さが順次単調増加するように設定され、複数個の該大等化区間により前記通信路全体が形成されていることを特徴とする光通信伝送路。
【請求項１１】
光信号を伝送するために、光信号をそのまま増幅中継する複数の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
複数の該等化区間の区間長を１つの大区間として、該大区間の繰り返しで光通信伝送路全体が構成され、
該大区間の中の前記各等化区間の区間長が、単調減少するように配置されていることを特徴とする光通信伝送路。
【請求項１２】
光信号を伝送するために、光信号をそのまま増幅中継する複の光増幅中継器と光ファイバとによって構成される光通信伝送路であって、
該光ファイバの大部分が前記光信号の使用波長帯域においては異常分散を有する異常分散ファイバであり、累積した当該異常分散を比較的短尺の正常分散ファイバを用いて等化する分散制御方式が用いられ、
前記異常分散ファイバの区間と前記正常分散ファイバの区間で構成される各等化区間の長さが不均一であるように設定され、
複数の該等化区間を一つの大等化区間とし、該一つの大等化区間を等長二分割した一方の(1/2) 大等化区間では前記等化区間の長さが順次単調減少し、該一つの大等化区間を等長二分割した他方の(1/2) 大等化区間では前記等化区間の長さが順次単調増加するように設定され、複数個の該大等化区間により前記通信路全体が形成されていることを特徴とする光通信伝送路。
【発明の詳細な説明】
【０００１】
【発明の属する技術分野】
本発明は、光信号を伝送するために使用される、光通信伝送路に関するものである。
【０００２】
【従来の技術】
光増幅器を使用した光ファイバ伝送路においては、伝送路の光ファイバの大部分には正常分散もしくは異常分散を有する光ファイバのみを使用し、累積した分散をそれとは反対の分散（正常分散の場合には異常分散、異常分散の場合には正常分散）を有する比較的短尺の分散補償ファイバで等化する、分散制御方式が用いられている。図９に、従来の技術を使用した場合の累積波長分散量の距離依存性の一例を模式的に示す。累積した波長分散は、ある一定の長さを有する等化区間ごとに等化される。ある一つの長距離光ファイバ伝送路においては、等化区間の区間長は均一に設定することが通常行われている。
【０００３】
【発明が解決しようとする課題】
しかし、等化区間長が均一であると、分散が零に戻ることにより発生する位相整合が規則正しい周期ごとに発生するので、共振現象が起こり、信号線幅拡がり等の伝送特性を劣化させる現象が起こる。
【０００４】
本発明は、このような劣化要因を低減することができる光通信伝送路を提供することを目的とする。
【０００５】
【課題を解決するための手段】
この目的を達成するために、光信号を伝送するために、光信号をそのまま増幅中継する複数の光増幅中継器と光ファイバとによって構成される光通信伝送路であって、該光ファイバの大部分が前記光信号の使用波長帯域においては正常分散を有する正常分散ファイバであり、累積した当該正常分散を比較的短尺の異常分散ファイバを用いて等化する分散制御方式が用いられ、前記正常分散ファイバの区間と前記異常分散ファイバの区間で構成される各等化区間の長さが不均一であるように設定されていることを特徴とする構成を有している。
また、本発明による光通信伝送路は、光信号を伝送するために、光信号をそのまま増幅中継する複数の光増幅中継器と光ファイバとによって構成される光通信伝送路であって、該光ファイバの大部分が前記光信号の使用波長帯域においては異常分散を有する異常分散ファイバであり、累積した当該異常分散を比較的短尺の正常分散ファイバを用いて等化する分散制御方式が用いられ、前記異常分散ファイバの区間と前記正常分散ファイバの区間で構成される各等化区間の長さが不均一であるように設定されていることを特徴とする構成とすることができる。
前記の不均一にする形態として、伝送路の入口付近から出口に近づくに従って単調増加または単調減少するように構成される。
【０００６】
【発明の実施の形態】
本発明による光通信伝送路では、共振現象が起こらないように、等化区間長を不均一にする形態として、▲１▼伝送路の入口付近で長く出口に近づくに従って単調減少していく場合、▲２▼伝送路の入口付近で短く出口に近づくに従って単調増加していく場合、▲３▼ランダムに配置する場合、等がある。
【０００７】
（実施例１）
図１に、本発明を実施した場合の光通信伝送路の実施例１を示す。ここで、１は正常分散ファイバ、２は光増幅中継器、３は累積した正常分散を等化する短尺の異常分散ファイバ（分散補償ファイバ）である。この伝送路における波長分散累積を模式的に示したものが、図２である。この実施例では、正常分散ファイバと異常分散ファイバで構成される等化区間長Ｌｉ  の長さが、伝送路の伝送距離の増大方向で徐々に短くなっている。等化区間長Ｌｉ  が伝送距離の増大方向で順次短くなることによりジッタ累積が低減され、光ソリトンパルスのような狭いパルスが安定に存在できるようになるので、光ソリトンパルスを用いる伝送路に適している。
【０００８】
（実施例２）
図３に、本発明を実施した場合の光通信伝送路の実施例２を示す。この伝送路における波長分散累積を模式的に示したものが、図４である。この実施例では、異常分散ファイバと正常分散ファイバで構成される各等化区間の長さＬｉ  が、伝送路の伝送距離の増大方向で徐々に長くなっている。等化区間長が伝送距離の増大方向で順次長くなることにより、位相整合条件の発生周期が長くなっていくので、共振現象が起こりにくくなる。
【０００９】
（実施例３）
図５に、本発明の実施例３の波長分散累積を模式的に示す。この実施例では、正常分散ファイバと異常分散ファイバで構成される各等化区間の長さが、伝送路の距離方向でランダムに配置されている。等化区間長がランダムに配置されることにより、位相整合条件の発生周期がランダム化されるので、共振現象が起こりにくくなる。
【００１０】
（実施例４）
図６に、本発明の実施例４の波長分散累積を模式的に示す。この実施例では、正常分散ファイバと異常分散ファイバで構成される等化区間の長さが、伝送路の距離方向で徐々に短くなる単調減少するかもしくは徐々に長くなる単調増加するか又はランダムに変化する態様の少なくとも一つの態様をとる大区間の繰り返しで、全体が構成されている。この場合に、大区間の区間長は長距離システムの製造性を考慮して光通信伝送路全長の１／２以下でありかつ自然数分の−に設定されることになる。等化区間長が距離方向で短くなるかもしくは長くなるか又はランダムに変化することとそれが大区間で繰り返されることによって、位相整合条件の発生周期がランダム化されるので、共振現象が起こりにくくなる。
【００１１】
（実施例５）
この実施例では、光通信伝送路全体を偶数等分割した複数の等分割大区間を想定し、その半数の等分割大区間では、正常分散ファイバと異常分散ファイバとで構成される各等化区間の長さが順次単調減少し、その半数とは別の半数の等分割大区間では各等化区間の長さが順次単調増加するように設定配置する。これにより、一方の半数と他方の半数とで、位相共役的な効果で光ファイバの非直線形性による劣化が相殺され、伝送特性が改善される。
図７に示すように、複数の該等化区間を一つの大等化区間〔ＬＥｉ  〕とし、該一つの大等化区間を等長二分割した一方の（１／２）  大等化区間〔（１／２）ＬＥ１１，（１／２）  ＬＥ２１，（１／２）  ＬＥ３２  …〕では前記等化区間の長さが順次単調増加し、該一つの大等化区間を等長二分割した他方の（１／２）  大等化区間〔（１／２）ＬＥ１２，（１／２）  ＬＥ２２，（１／２）  ＬＥ３１  …〕では前記等化区間の長さが順次単調減少するように設定され、複数個の該大等化区間〔ＬＥ１  ，ＬＥ２  ，ＬＥ３  ，…〕により前記通信路全体が形成されている。
【００１２】
（実施例６）
以上の各実施例では、図示を簡略化するために、▲１▼    光ファイバの大部分が正常分散ファイバであって、この正常分散ファイバ区間の次に異常分散ファイバが配置される形式（Ｉ）〔図２，図５，図６参照〕か、または、▲２▼    光ファイバの大部分が異常分散ファイバであって、この異常分散ファイバ区間の次に正常分散ファイバが配置される形式（ＩＩ）〔図４参照〕のいずれかのみを用いるものとして示している。しかし、本発明では、各実施例において単一の等化区間では単一の形式の配置をとることを条件として、異なる等化区間では異なる形式  （Ｉ）又は（ＩＩ）の配置が採用されるように配置してもよい。すなわち、図８（ａ）のように前記形式（Ｉ）の次に形式（ＩＩ）を配置するタイプ、図８（ｂ）のように形式（ＩＩ）の次に形式（Ｉ）を配置するように、配置してもよい。
【００１３】
【発明の効果】
以上詳細に説明したように、本発明により、現状の分散制御方式を用いた光通信伝送路よりも、伝送特性を著しく改善した光通信伝送路を得ることができるので、その効果は大である。
【図面の簡単な説明】
【図１】本発明による光通信伝送路の実施例１の構成例を示す図である。
【図２】実施例１の累積波長分散を距離の関数として示す模式図である。
【図３】本発明による光通信伝送路の実施例２の構成例を示す図である。
【図４】本発明の実施例２の累積波長分散を距離の関数として示す模式図である。
【図５】本発明の実施例３の累積波長分散を距離の関数として示す模式図である。
【図６】本発明の実施例４の累積波長分散を距離の関数として示す模式図である。
【図７】本発明の実施例５の累積波長分散を距離の関数として示す模式図である。
【図８】本発明の実施例５の累積波長分散を距離の関数として示す模式図である。
【図９】従来一般的に使用されている分散制御方式による場合の、累積波長分散を距離の関数として示す模式図である。
【符号の説明】
１  正常分散ファイバ
２  光増幅中継器
３  短尺の異常分散ファイバ
【図１】
0003573973.tif 000002
【図２】
0003573973.tif 000003
【図３】
0003573973.tif 000004
【図４】
0003573973.tif 000005
【図５】
0003573973.tif 000006
【図６】
0003573973.tif 000007
【図７】
0003573973.tif 000008
【図８】
0003573973.tif 000009
【図９】
0003573973.tif 000010